(57)【要約】      （修正有）【課題】袖構造体の突出部の上面と天板の後縁部とによって部分的に囲まれる空間を配線空間とする。【解決手段】デスク本体Ａが、天板１と、一部を天板１の後縁部１３よりも後方へ突出させた状態で配される袖構造体３とを一体的に具備し、このデスク本体Ａのうち袖構造体３の突出部３３の上面３３ａと天板１の後縁部１３とによって部分的に囲まれる部位を袖配線空間Ｓ２として利用すべく、当該部位に着脱可能に袖配線カバー６を配置するにあたり、袖配線カバー６に、上面が天板面１４と略面一に連続する閉止姿勢と、上面の一部が上方から押圧されることにより他の一部を天板面１４よりも高位置に浮き上がらせる半開き姿勢とをとらせ得るように構成し、浮き上がった部分を掴んで取り外せるように構成した。【選択図】図１
2011005192.tif 000002
【特許請求の範囲】
【請求項１】
デスク本体が、天板と、一部を前記天板の後縁部よりも後方へ突出させた状態で配される袖構造体とを一体的に具備し、このデスク本体のうち前記袖構造体の突出部の上面と前記天板の後縁部とによって部分的に囲まれる部位を袖配線空間として利用すべく、当該部位に着脱可能に袖配線カバーを配置し得るようにしたものであって、
前記袖配線カバーに、上面が天板面と略面一に連続する閉止姿勢と、上面の一部が上方から押圧されることにより他の一部を天板面よりも高位置に浮き上がらせる半開き姿勢とをとらせ得るように構成し、当該浮き上がった部分を掴んで取り外せるようにしたことを特徴とする袖デスク。
【請求項２】
袖配線カバーの前後方向中央部よりも前縁側および後縁側の２箇所に被支持部を設定し、これらの被支持部を、デスク本体の対応位置に設けた一対の支持部に係り合わせて、これら両被支持部間の領域以外の領域が押圧されることにより、何れか一方の被支持部が対応する支持部に対し回転して、他方の被支持部が対応する支持部との係り合い位置を高さ方向に変化させるように構成されている請求項１記載の袖デスク。
【請求項３】
袖配線カバーは、前縁部または後縁部の少なくとも何れか一方に垂下壁を有し、その垂下壁の下端と袖構造体の上面との間に隙間が形成されて、上方から押圧された際に前記垂下壁の下端が袖構造体の突出部の上面に突き当たった位置で押し込みが規制されるようにしている請求項１又は２記載の袖デスク。
【請求項４】
袖配線カバーは、袖配線空間を幅方向に開放可能なものであるとともに、前縁部と後縁部を入れ替えて装着することが可能とされ、何れか一方の状態で垂下壁が袖配線空間の後方を閉止し、他方の状態で垂下壁が無い部位を介して袖配線空間を後方へ開放可能としている請求項３記載の袖デスク。
【請求項５】
袖構造体の上面に袖配線空間を拡張する凹部を形成している請求項１〜４記載の袖デスク。
【請求項６】
袖構造体の凹部と天板の後縁側の下面との間の隙間を利用してクランプ等の取付具を取り付け可能とし、袖配線カバーの一部に前記取付具を通過させる通過部を設けている請求項５記載の袖デスク。
【請求項７】
デスク本体は、袖構造体が配されていない部分において前記袖配線空間および前記袖配線カバーにそれぞれ連続する位置に主配線空間および主配線カバーを有し、前記主配線空間は前記袖配線空間よりも深く、前記主配線カバーはその深みを利用して回転により前記主配線空間を開閉するものであって、この主配線カバーを支持する支持部と、前記袖配線カバーを支持する支持部とが共通の支持構造により構成されている請求項１〜６記載の袖デスク。
【請求項８】
前後方向中央部よりも後縁側にあって水平ないし傾斜が浅い状態の主配線カバーを支持する第１ガイド突起と、この第１ガイド突起よりも後縁側にあって傾斜が深い状態の主配線カバーを支持する第２ガイド突起と、前後方向中央部よりも前縁側にあって略水平な主配線カバーを前記第１ガイド突起とともに支持する係止突起とを備え、両ガイド突起によって主配線カバーを、主配線空間を開放する起立位置と、主配線空間を閉塞する水平位置との間で支点を変えながら支持し得るように構成するとともに、前記第１ガイド突起及び前記係止突起を一対の支持部として袖配線カバーを支持するようにしている請求項７記載の袖デスク。
【発明の詳細な説明】
【技術分野】
【０００１】
本発明は、袖構造体の上方空間を配線空間として有効利用できるようにした袖デスクに関するものである。
【背景技術】
【０００２】
デスクには、配線処理のために天板の後縁部の下方に配線空間が設けられ、この配線空間を配線カバーによって開閉可能に構成されているものが多い。一般的な配線カバーは、デスク本体に設けた軸に後縁側を回転可能に支持され、上面が天板と略面一となる閉止位置と、上面が後方に起立して配線空間を上方に開放する開放位置とに選択的に移動させ得るように構成されている。特許文献１はデスク本体が対面配置されている点で一般的であるとは言い難いが、上面が天板と略面一となる閉止位置と、上面が後方に起立して配線空間を上方に開放する開放位置とに選択的に移動させる構造を有している点で参考になるものである。
【先行技術文献】
【特許文献】
【０００３】
【特許文献１】特開２００６−０９５１７５号公報
【発明の概要】
【発明が解決しようとする課題】
【０００４】
ところで、この種のデスクのうち、デスク本体が天板と、一部を前記天板の後縁部よりも後方へ突出させた状態で配される袖構造体とを一体的に具備する場合は、天板の後縁部の下方が開放されておらず、当該後縁部と袖構造体の突出部の上面とによって部分的に囲まれる段差部位に、比較的扁平な空間が存するのみである。このような空間に配線カバーを取り付けて配線空間として利用できるようにすれば、袖構造体が存しない部分に配置される主配線空間や主配線カバーとの連続性も確保でき、横配線も可能になるなど、配線の取り回しを飛躍的に高められる可能性がある。しかしながら、かかる空間に従来と同様の取付構造で配線カバーを配すると、回転に伴って配線カバーの一部が下方に降下して袖構造体の上面と干渉するため、配線空間を十分に開放できず、開放状態も保持できないことになって、結果的に配線空間として利用することが難しいのが実情である。
【０００５】
本発明は、このような課題を有効に解決した袖デスクを新たに提供しようとするものである。
【課題を解決するための手段】
【０００６】
本発明は、かかる目的を達成するために、次のような手段を講じたものである。
【０００７】
すなわち、本発明の袖デスクは、デスク本体が、天板と、一部を前記天板の後縁部よりも後方へ突出させた状態で配される袖構造体とを一体的に具備し、このデスク本体のうち前記袖構造体の突出部の上面と前記天板の後縁部とによって部分的に囲まれる部位を袖配線空間として利用すべく、当該部位に着脱可能に袖配線カバーを配置し得るようにしたものであって、前記袖配線カバーに、上面が天板面と略面一に連続する閉止姿勢と、上面の一部が上方から押圧されることにより他の一部を天板面よりも高位置に浮き上がらせる半開き姿勢とをとらせ得るように構成し、当該浮き上がった部分を掴んで取り外せるようにしたことを特徴とする。
【０００８】
このように構成すると、袖構造体の突出部の上面と天板の後縁部とによって部分的に囲まれる部位の空間が限られている場合にも、本発明の構造の下に配置した袖配線カバーの一部を上方から押圧して浮き上がった部分を掴むだけで当該袖配線カバーを取り外すことができるので、かかる空間を袖配線空間として有効に活用することが可能となる。
【０００９】
簡単で良好な操作性を得るためには、袖配線カバーの前後方向中央部よりも前縁側および後縁側の２箇所に被支持部を設定し、これらの被支持部を、デスク本体の対応位置に設けた一対の支持部に係り合わせて、これら両被支持部間の領域以外の領域が押圧されることにより、何れか一方の被支持部が対応する支持部に対し回転して、他方の被支持部が対応する支持部との係り合い位置を高さ方向に変化させるように構成されていることが好ましい。
【００１０】
押圧に対する耐性を高め、押圧量の設定も適切に行い得るようにするためには、袖配線カバーは、前縁部または後縁部の少なくとも何れか一方に垂下壁を有し、その垂下壁の下端と袖構造体の上面との間に隙間が形成されて、上方から押圧された際に前記垂下壁の下端が袖構造体の突出部の上面に突き当たった位置で押し込みが規制されるようにしていることが望ましい。
【００１１】
配線の取り回しを有効に行うことができるようになるために、袖配線カバーは、袖配線空間を幅方向に開放可能なものであるとともに、前縁部と後縁部を入れ替えて装着することが可能とされ、何れか一方の状態で垂下壁が袖配線空間の後方を閉止し、他方の状態で垂下壁が無い部位を介して袖配線空間を後方へ開放可能としていることが好適である。
【００１２】
袖構造体上の配線空間をコンセント等が収納できる程度にまで容易に拡張するためには、袖構造体の上面に袖配線空間を拡張する凹部を形成していることが好ましい。
【００１３】
このような凹部を更に有効活用するためには、袖構造体の凹部と天板の後縁側の下面との間の隙間を利用してクランプ等の取付具を取り付け可能とし、袖配線カバーの一部に前記取付具を通過させる通過部を設けていることが望ましい。
【００１４】
配線の取り回しを要素部品の複雑化を招かずにより有効に高めるためには、デスク本体は、袖構造体が配されていない部分において前記袖配線空間および前記袖配線カバーにそれぞれ連続する位置に主配線空間および主配線カバーを有し、前記主配線空間は前記袖配線空間よりも深く、前記主配線カバーはその深みを利用して回転により前記主配線空間を開閉するものであって、この主配線カバーを支持する支持部と、前記袖配線カバーを支持する支持部とが共通の支持構造により構成されていることが好ましい。
【００１５】
壁等と干渉することなく主配線空間を大きく開放すべく、袖デスクが、前後方向中央部よりも後縁側にあって水平ないし傾斜が浅い状態の主配線カバーを支持する第１ガイド突起と、この第１ガイド突起よりも後縁側にあって傾斜が深い状態の主配線カバーを支持する第２ガイド突起と、前後方向中央部よりも前縁側にあって略水平な主配線カバーを前記第１ガイド突起とともに支持する係止突起とを備え、両ガイド突起によって主配線カバーを、主配線空間を開放する起立位置と、主配線空間を閉塞する水平位置との間で支点を変えながら支持し得るように構成している場合には、前記第１ガイド突起及び前記係止突起を一対の支持部として袖配線カバーを支持するようにしていることが好適である。
【発明の効果】
【００１６】
本発明は、以上説明した構成であるから、袖構造体の突出部の上面と天板の後縁部とによって部分的に囲まれる部位の空間が限られている場合にも、本発明の構造の下に配置した袖配線カバーの一部を上方から押圧して浮き上がった部分を掴むだけで当該袖配線カバーを取り外すことができるので、袖デスクにおいても、かかる空間を袖配線空間として利用して配線の取り回しを適切に行うことが可能となる。
【図面の簡単な説明】
【００１７】
【図１】本発明の一実施形態に係る配線カバーを袖デスクに取り付けた袖デスクを示す全体斜視図。
【図２】同実施形態に係る中間の支持体を表す斜視図。
【図３】同実施形態に係る主配線カバーの取り付け状態を示す要部断面図。
【図４】同実施形態に係る袖構造体上の支持体を示す斜視図。
【図５】同実施形態に係る袖配線カバーの取り付け状態を示す要部断面図。
【図６】同実施形態に係る袖配線カバーの他の取り付け状態を示す要部断面図。
【図７】同実施形態に係る袖配線カバーを補助カバーとともに示す斜視図。
【図８】同実施形態に係る袖配線カバーの取り外し時の操作を説明するための斜視図。
【図９】同実施形態に係る袖配線カバーの補助カバーに関する利用の一形態を示す斜視図。
【図１０】同実施形態に係る袖配線カバーの補助カバーに関する利用の他の一形態を示す斜視図。
【発明を実施するための形態】
【００１８】
以下、本発明の一実施形態を、図面を参照して説明する。
【００１９】
この実施形態の袖デスクは、図１に示すように、天板１の幅方向両端部１１、１２を、脚構造体２と袖構造体３によって支持してなるものである。天板１と脚構造体２および天板１と袖構造体３はボルト等により一体的に取り付けられて全体としてデスク本体Ａを構成しており、袖構造体３の後縁部３１側は脚構造体２の後縁部２１ともども天板１の後縁部１３よりも後方に突出して（突出部３３）、袖構造体３の突出端近傍の内面３２と脚構造体２の突出端近傍の内面２１との間に背板４が取り付けられている。袖構造体３は、本実施形態では引き戸式のもので、前端部３０側は天板１よりも前方に突出し、その上に天板１と略面一となる厚みの化粧板３４が取り付けられている。
【００２０】
図２にも示すように、天板１の後縁部１３近傍から背板４に至る部位の上方には配線ダクトＣＤが配置されてその上方が主配線空間Ｓ１として設定され、また、天板１の後縁部１３と袖構造体３の突出部３３の上面３３ａとを２辺として部分的に囲まれる部位も袖配線空間Ｓ２として設定されており、これらの両配線空間Ｓ１、Ｓ２を開閉すべく、図１及び図２に示すように袖構造体３が存しない領域における天板１の後縁部１３に主配線カバー５が、また袖構造体３が存する領域における天板１の後縁部１３に袖配線カバー６が、それぞれ着脱可能に配されるようにしている。そのために、図１に示すように袖構造体３に２つの支持体７ａ、７ｂが、脚構造体２に１つの支持体７ｃがそれぞれ設けられており、主配線カバー５はこのうちの脚構造体２の支持体７ｃと袖構造体３の最寄りの支持体７ｂに、袖配線カバー６は袖構造体３の一対の支持体７ａ、７ｂにそれぞれ支持されるようにしている。すなわち、中間の支持体７ｂは、主配線カバー５と袖配線カバー６に共用されるものとなっている。
【００２１】
図２はその中間の支持体７ｂを示しており、主配線カバー５側および袖配線カバー６側に共通の支持構造を有している。他の支持体７ａ、７ｃもそれぞれ片側に共通の支持構造を有している。
【００２２】
主配線カバー５との関係で見ると、前記支持構造は、図２及び図３に示すように、前後方向中央部よりも後縁側にあって水平ないし傾斜が浅い図３（ａ）における実線と想像線の間の状態での主配線カバー５を支持する第１ガイド突起７１と、この第１ガイド突起７１よりも後縁側にあって傾斜が一定以上深い図３（ｂ）における実線と想像線の間の状態での主配線カバー５を支持する第２ガイド突起７２と、前後方向中央部よりも前縁側にあって図３（ａ）における実線に示す略水平な主配線カバー５を前記第１ガイド突起７１とともに支持する係止突起７３とを備えている。この実施形態において、第１ガイド突起７１および第２ガイド突起７２は支持体７ｂから配線空間Ｓ１、Ｓ２側に突出する軸状をなし、係止突起７３は支持体７ｂから配線空間Ｓ１、Ｓ２側に突出する縦リブ状をなし先端に半円状に膨出したアール面７３ａを有している。これに対して、主配線カバー５には、後縁側に、傾斜が浅い図３（ａ）の状態で前記第１ガイド突起７１に回転可能に嵌まり合う部分半円状に凹んだ第１の被係わり合い部５１と、傾斜が一定以上深い図３（ｂ）の状態で前記第２ガイド突起７２に回転可能に嵌まり合う半円状に凹んだ第２の被係わり合い部５２とを有し、前縁側に、略水平姿勢で前記係止突起７３に係わり合う半円状に凹んだ被係止部５３を有している。また、支点が第１ガイド突起７１にある図３（ａ）の状態では第２ガイド突起７２は第２の被係わり合い部５２に通ずる遊動路５２ａに位置し、支点が第２ガイド突起７２にある図３（ｂ）の状態では前記第１ガイド突起７１は第１の被係わり合い部５１に通ずる遊動路５１ａに位置するように構成されている。そして、両ガイド突起７１、７２によって主配線カバー５を、配線空間Ｓ１，Ｓ２を開放する図３（ｂ）に想像線に示す起立位置と、配線空間Ｓ１、Ｓ２を閉塞する図３（ａ）に実線で示す水平位置との間で支点を変えつつ当該主配線カバー５の一部が後方へ突出することを極力避けながら回転可能に支持し得るように構成している。
【００２３】
この主配線カバー５の下方には後下端部５ｘが下方へ回動しても前記袖配線空間Ｓ２のように下方空間を遮る袖構造体３などが無く、下方に広がる主配線空間Ｓ１は扁平な袖配線空間Ｓ２よりも深いため、前記主配線カバー５はその深みを利用して回転により主配線空間Ｓ１を開閉することができる。
【００２４】
以上のような支持構造は、他の支持体７ａ、７ｃの片面にも同様に備わるものである（例えば図４参照）。
【００２５】
一方、袖配線カバー６に対しては、前記支持構造を構成する第１ガイド突起７１と前記係止突７３とを利用してこれを支持するようにしている。図４に示される袖構造体３の端部に配置される支持体７ａとの関係で見ると、袖配線カバー６は、前記第１ガイド突起７１及び前記係止突起７３を一対の支持部とすべく、図４及び図５に示すように、前後方向中央部６６よりも前縁側および後縁側の２箇所に被支持部６ｘ、６ｙを有している。両被支持部６ｘ、６ｙには、図５（ａ）に示す略水平姿勢で第１ガイド突起７１及び係止突起７３に前後方向縁部６３、６４から前後方向中央部６６に向かって部分円弧状に凹んで上方から被る凹所６ａ、６ｂと、第１ガイド突起７１及び係止突起７３に前後方向中央部６６から縁部６３、６４に向かって部分円弧状に膨出して側方から弾接する弾性片６１、６２とが下向きに設けられている。また、前縁部６４及び後縁部６３に垂下壁６４ａ、６３ａを有し、一方の垂下壁６３ａよりも他方の垂下壁６４ａが短く設定されている。そして、袖配線カバー６を上方から図５（ａ）に示すように凹所６ａ、６ｂが第１ガイド突起７１及び係止突起７３に嵌まり合うように装着した状態で、弾性片６１，６２がそれぞれ第１ガイド突起７１及び係止突起７３を凹所６ａ、６ｂに押さえ付けるように弾接して、図５（ａ）及び図７に示すように袖配線カバー６を、上面を天板１の上面と略一に連続させる水平姿勢で装着できるようにしている。また、この状態から一対の被支持部６ａ、６ｂ間の領域よりも前縁側に上方から図５（ｂ）に示すように押圧力Ｐを作用させると、図５（ｂ）や図８に示すように、凹所６ｂが係止突起７３のアール面７３ａに沿って前縁側の垂下壁６４ａが沈み込む方向に回転し、後縁側が浮き上がって当該後縁部６３に近い側の弾性片６１が上方へ移動して第１ガイド突起７１に乗り上げた位置に支持され、その結果、袖配線カバー６を、他の一部が天板面よりも高位置に浮き上がる半開き姿勢で保持し得るようにしている。
【００２６】
なお、袖構造体３の上面３３ａの一部には、袖構造体３の収納機能を損なわない範囲で袖配線空間Ｓ２を下方に向かって拡張するための凹部Ｓ２１が形成されている。前述した一対の垂下壁６３ａ、６４ａは幅方向端部が袖構造体３の凹部Ｓ２１ではない上面３３ａ（図４参照）に位置するが、一方の垂下壁６３ａは図５（ａ）に示すように上面３３ａにほぼ接地し、他方の垂下壁６４ａは上面３３ａとの間に隙間Δを形成する長さに設定されている。したがって、図５（ｂ）に示すように上方から押圧力Ｐが作用された際に、前記垂下壁６４ａの下端６４ａ１が袖構造体３の突出部３３の上面３３ａに突き当たった位置で押し込みが規制されるようにしている。一方の垂下壁６３ａは、袖配線カバー６の閉止位置で図７に示すように袖配線空間Ｓ２の後方を閉止する役割を果たす。
【００２７】
さらに、上記一対の被支持部６ｘ、６ｙは、基本的に前後方向に対称に形成されていて、図５の状態から図７に示すように、前縁部６４（垂下壁６４ａ）と後縁部６３（垂下壁６３ａ）を入れ替えて装着することが可能とされている。具体的には、図６（ａ）に示すように、袖配線カバー６を、上方から凹所６ｂ、６ａが第１ガイド突起７１及び係止突起７３に嵌まり合うように装着した状態で、弾性片６２、６１がそれぞれ第１ガイド突起７１及び係止突起７３を凹所６ｂ、６ａに押さえ付けるように弾接して袖配線カバー６を、上面を天板１の上面と略一に連続させる水平姿勢で装着できるようにしている。また、両被支持部６ｘ、６ｙ間の領域よりも後縁側に上方から押圧力Ｐを作用させると、図６（ｂ）に示すように、凹所６ｂが第１ガイド突起７１の回りに後縁側の垂下壁６４ａが沈み込む方向に回転し、前縁側が浮き上がって当該前縁側に近い側の弾性片６１が上方に移動して係止突起７３のアール面７３ａに乗り上げた位置に支持され、その結果、袖配線カバー６を、他の一部が天板面よりも高位置に浮き上がる半開き姿勢で保持し得るようにしている。
【００２８】
なお、袖配線カバー６の他方の縁部における幅方向中央部には、図９に示すように垂下壁６４ａと頂部６０に亘る部位に切欠部６４ｂが設けてあり、その切欠部６４ｂにヒンジ８１を介して補助カバー８が装着されており、この補助カバー８の下方には第１開口部８ａが形成されている。したがって、図９に示すように垂下壁６３ａを後縁側に配置して使用するときには前記第１開口部８ａから後方に配線Ｂを引き出すことができ、垂下壁６４ａを前縁側に配置して使用する図１０の状態では前記ヒンジ８１で補助カバー８を内向きに折り曲げることにより上面側にも開口する第２開口部８ｂを形成して、この第２開口部８ｂから部材を立ち上げることができる。前述したように袖構造体３には図４及び図５等に示したように凹部Ｓ２１が設けられ、この凹部Ｓ２１は天板１の下面にも至っていて、天板１の後縁側の下面との間に隙間Ｓ２１１が形成されるので、この隙間Ｓ２１１を利用して図１０に示すようなクランプ等の取付具Ｃを取り付け、その取付具Ｃの一部を袖配線カバー６の第２開口部８ｂを通過部として上方に立ち上げることができる。
【００２９】
勿論、図１に示すように、主配線カバー５は、幅方向両端部５１、５１に配線Ｂを横方向に通過させる主配線カバー通過部５１ａ、５１ａを有し、袖配線カバー６も、幅方向両端部６５、６５に配線Ｂを横方向に通過させる袖配線カバー通過部６５ａ、６５ａを有しているため、図９に示すように主配線空間Ｓ１から袖配線空間Ｓ２に亘って横配線処理をすることも可能となっている。袖構造体３の支持体７ａ、７ｂにはカバー９ａ、９ｂが装着され、脚構造体２の支持体７ｃにも図示しないカバーが装着されるが、これらのカバー９ａ、９ｂ等にも、配線Ｂを横方向に通過させる通過部９１、９２等が設けられている。
【００３０】
以上のように、本実施形態に係る袖デスクは、デスク本体Ａが、天板１と、一部を前記天板１の後縁部１３よりも後方へ突出させた状態で配される袖構造体３とを一体的に具備し、このデスク本体Ａのうち前記袖構造体３の突出部３３の上面３３ａと前記天板１の後縁部１３とによって部分的に囲まれる部位を袖配線空間Ｓ２として利用すべく、当該部位に着脱可能に袖配線カバー６を配置し得るようにしたものであり、前記袖配線カバー６に、上面が天板面１４と略面一に連続する閉止姿勢と、上面の一部が上方から押圧されることにより他の一部を天板面１４よりも高位置に浮き上がらせる半開き姿勢とをとらせ得るように構成したものである。このため、当該浮き上がった部分を掴んで取り外すことにより、適宜の配線処理を行うことが可能となり、袖構造体３の突出部３３が存するがゆえにその上面３３ａと天板１の後縁部１３とによって部分的に囲まれる部位の空間が限られている本実施形態のような場合にも、かかる空間を袖配線空間Ｓ２として有効に活用することが可能となる。
【００３１】
具体的には、袖配線カバー６の前後方向中央部６６よりも前縁側および後縁側の２箇所に被支持部６ｘ、６ｙを設定し、これらの被支持部６ｘ、６ｙを、デスク本体Ａの対応位置に設けて支持部として働く第１ガイド突起７１及び係止突起７３に係り合わせて、これら両被支持部６ｘ、６ｙ間の領域以外の領域が押圧されることにより、一方の被支持部６ｙが対応する支持部たる係止突起７３や第１ガイド突起７１に対し回転して、他方の被支持部６ｘが対応する支持部たる第１ガイド突起７１や係止突起７３との係り合い位置を高さ方向に変化させるようにしているので、袖配線カバー６の幅方向に沿った縁部近傍の適当な位置に上方から押圧力Ｐを作用させれば袖配線カバー６を浮き上がらせることができ、簡単で良好な操作性を得ることができる。
【００３２】
そして、袖配線カバー６は、前縁部６４や後縁部６３に垂下壁６４ａ、６３ａを有し、そのうちの垂下壁６４ａの下端６４ａ１と袖構造体３の上面３３ａとの間に隙間Δを形成して、上方から押圧された際に垂下壁６４ａの下端６４ａ１が袖構造体３の突出部３３の上面３３ａに突き当たった位置で押し込みが規制されるようにしており、垂下壁６４ａがリブ的な作用を営むので、強く押圧しても袖配線カバー６に悪影響が及ぶことを回避でき、また適切な浮き上がり状態を得るべく、その浮き上がり量を垂下壁６４ａの下端位置を通じて適切に設定することができる。
【００３３】
さらに、袖配線カバー６は、袖配線空間Ｓ２を幅方向に開放可能なものであるとともに、前縁部６４と後縁部６３を入れ替えて装着することが可能とされ、一方の状態で垂下壁６３ａが袖配線空間Ｓ２の後方を閉止し、他方の状態で垂下壁６４ａが無い切欠部６４ｂを介して袖配線空間Ｓ２を後方へ開放可能としたので、天板１の幅方向に沿った横配線が可能になる上に、配線空間Ｓ２の後縁側を閉止する態様と、袖配線空間Ｓ２の後縁側より配線Ｂを引き出す態様とを選択できるなど、配線Ｂの取り回しを有効に行うことができるものとなる。
【００３４】
加えて、袖構造体３の上面３３ａに袖配線空間Ｓ２を拡張する凹部Ｓ２１を形成したので、袖構造体３の収納機能に極力影響を及ぼさずに、袖構造体３上の袖配線空間Ｓ２をコンセントＣＳ（図９参照）等が収納できる程度にまで容易に拡張することができる。
【００３５】
加えて、袖構造体３の凹部Ｓ２１と天板１の後縁側の下面との間の隙間Ｓ２１１を利用してクランプ等の取付具Ｃが取り付け可能であり、袖配線カバー６の一部に前記取付具Ｃを通過させる通過部たる第２開口部８ｂを開口できるようにしたので、天板１への取付具Ｃの取り付け空間等としても有効利用することができる。
【００３６】
また、デスク本体Ａは、袖構造体３が配されていない部分において前記袖配線空間Ｓ２および前記袖配線カバー６にそれぞれ連続する位置に主配線空間Ｓ１および主配線カバー５を有し、主配線空間Ｓ１は袖配線空間Ｓ２よりも深く、主配線カバー５はその深みを利用して回転により主配線空間Ｓ１を開閉するものであって、この主配線カバー５を支持する支持体７ｂ、７ｃと、前記袖配線カバー６を支持する支持体７ａ、７ｂとが共通の支持構造により構成されているので、袖構造体３が存する部位と存しない部位との間での配線空間Ｓ１，Ｓ２や配線カバー５，６の連続性を確保して、配線Ｂの取り回しをより有効に高めることができる。しかも、支持構造を共通化すると、支持体７ａ、７ｂ、７ｃを樹脂成形する場合等における金型の共通化が図れるため、製造コストの低減等も有効に図ることができるようになる。
【００３７】
さらに具体的には、この袖デスクＡは主配線機能として、前後方向中央部よりも後縁側にあって水平ないし傾斜が浅い状態の主配線カバー５を支持する第１ガイド突起７１と、この第１ガイド突起７１よりも後縁側にあって傾斜が深い状態の主配線カバー５を支持する第２ガイド突起７２と、前後方向中央部６６よりも前縁側にあって略水平な主配線カバー５を前記第１ガイド突起７１とともに支持する係止突起７３とを備え、両ガイド突起によって主配線カバー５を、主配線空間Ｓ１を開放する起立位置と、配線空間Ｓ１を閉塞する水平位置との間で支点を変えながら支持し得るように構成しており、その上で、前記第１ガイド突起７１及び前記係止突起７３を一対の支持部として袖配線カバー６を支持するようにしているので、この袖デスクの後縁側を壁等に突き当てて配置したり、対面配置したような場合にも、主配線カバー５が２段階に支点を変えながら起立することで、壁等と干渉することなく主配線空間Ｓ１を大きく開放することができるとともに、その支持構造のうちの第１ガイド突起７１と係止突起７３とを利用して袖配線カバー６を支持させるので、支持構造の共通化を実質的に有効に担保することができるようになる。
【００３８】
なお、各部の具体的な構成は、上述した実施形態のみに限定されるものではなく、本発明の趣旨を逸脱しない範囲で種々変形が可能である。
【００３９】
例えば、上記実施形態では、垂下壁の一方を袖構造体の上面にほぼ接地させ、他方垂下壁と袖構造体の上面の間のみに隙間を形成して上方から押圧可能に構成したが、両垂下壁と袖構造体の上面の間に隙間を形成して前縁部、後縁部何れの側から袖配線カバーを押圧できるように構成してもよい。
【００４０】
また、上方から押圧した際に袖配線カバーを上方に浮き上がらせるための構造も、上記に限定されるものではない。
【符号の説明】
【００４１】
１…天板
３…袖構造体
３３…袖構造体の突出部
３３ａ…突出部の上面
５…主配線カバー
６…袖配線カバー
６ｘ、６ｙ…被支持部
６４…垂下壁
６４ａ…垂下壁の下端
６６…前後方向中央部
７１…支持部（第１ガイド突起）
７２…第２ガイド突起
７３…支持部（係止突起）
８ｂ…通過部（第２開口部）
Ａ…デスク本体
Ｃ…取付具
Ｓ１…主配線空間
Ｓ２…袖配線空間
Ｓ２１…凹部
Δ…隙間
【図１】
2011005192.tif 000003
【図２】
2011005192.tif 000004
【図３】
2011005192.tif 000005
【図４】
2011005192.tif 000006
【図５】
2011005192.tif 000007
【図６】
2011005192.tif 000008
【図７】
2011005192.tif 000009
【図８】
2011005192.tif 000010
【図９】
2011005192.tif 000011
【図１０】
2011005192.tif 000012